(57)【要約】【課題】ローカルストレージの空き容量の不足を防止することが可能な「ディスク再生装置及びデータ管理方法」を提供すること。【解決手段】映画及び映画関連情報を記憶しているディスクから信号を読み取り、読み取った信号をデコードして再生するディスク再生装置は、記憶手段と、インターネットに接続して外部から情報を受信する通信手段と、通信手段を介して映画の予告編及び予告編の映画関連情報を取得し、この予告編の映画関連情報を用いて作成した映画予告編タイトルリスト及び予告編を記憶手段に格納する制御手段とを有する。制御手段は、ディスクが再生されたとき、再生中のコンテンツの映画関連情報を取得し、取得した映画関連情報と映画予告編タイトルリストの映画関連情報とを比較し、コンテンツが予告編に対応する映画であると判定したとき、予告編を記憶手段から消去し、映画予告編タイトルリストを更新する。【選択図】図５
2012033233.tif 000002
【特許請求の範囲】
【請求項１】
映画及び当該映画の映画関連情報を記憶しているディスクから信号を読み取り、読み取った信号をデコードして再生するディスク再生装置であって、
記憶手段と、
インターネットに接続して外部から情報を受信する通信手段と、
前記通信手段を介して映画の予告編及び該予告編の映画関連情報を取得し、前記予告編の映画関連情報を用いて作成した映画予告編タイトルリスト及び前記予告編を作成し前記記憶手段に格納する制御手段と、
を有し、
前記制御手段は、前記ディスクが再生されたとき、再生中のコンテンツの映画関連情報を取得し、当該映画関連情報と前記記憶手段に格納された前記映画予告編タイトルリストの映画関連情報とを比較し、前記コンテンツが前記予告編に対応する映画であると判定したとき、前記予告編を前記記憶手段から消去し、前記映画予告編タイトルリストを更新することを特徴とするディスク再生装置。
【請求項２】
前記映画関連情報には、映画内容情報項目として、映画タイトル、映画の監督及び出演者、が含まれ、映画提供情報項目として、上映予定日、リリース日、レンタル開始日、映画配給会社の識別情報が含まれていることを特徴とする請求項１に記載のディスク再生装置。
【請求項３】
前記制御手段は、前記再生中のコンテンツの映画タイトルに一致するデータを前記映画予告編タイトルリストから検出し、当該再生中のコンテンツの他の映画関連情報の各項目の内容が当該映画予告編タイトルリストの前記各項目の内容と一致するとき、前記コンテンツが前記予告編に対応する映画であると判定することを特徴とする請求項２に記載のディスク再生装置。
【請求項４】
さらに、ユーザの指示を入力する操作手段を備え、
前記制御手段は、前記操作手段を介して前記ディスクの再生指示を受信したとき、又は、前記再生指示を受信して所定の時間が経過したとき、前記ディスクが再生されたと判断することを特徴とする請求項３に記載のディスク再生装置。
【請求項５】
さらに、外部記憶装置との接続端子を備え、
前記制御手段は前記外部記憶装置内に格納されているコンテンツが前記予告編に対応する映画であると判定したとき、前記予告編を前記記憶手段から消去し、前記映画予告編タイトルリストを更新することを特徴とする請求項１に記載のディスク再生装置。
【請求項６】
インターネットを介して映画の予告編及び該予告編の映画関連情報を取得するステップと、
前記予告編を記憶手段に格納するステップと、
前記予告編の映画関連情報を用いて映画予告編タイトルリストを作成するステップと、
前記映画予告編タイトルリストを記憶手段に格納するステップと、
ディスクの再生を検出するステップと、
再生中のディスクの映画関連情報を取得するステップと、
当該映画関連情報と前記映画予告編タイトルリストとを比較するステップと、
前記コンテンツが前記予告編に対応する映画であると判定したとき、前記予告編を前記記憶手段から消去するステップと、
前記映画予告編タイトルリストを更新するステップと、
を有することを特徴とするデータ管理方法。
【請求項７】
前記映画関連情報には、映画内容情報項目として、映画タイトル、映画の監督及び出演者、が含まれ、映画提供情報項目として、上映予定日、リリース日、レンタル開始日、映画配給会社の識別情報が含まれていることを特徴とする請求項６に記載のデータ管理方法。
【請求項８】
前記映画関連情報と前記映画予告編タイトルリストとを比較するステップは、
前記再生中のコンテンツの映画タイトルに一致するデータを前記映画予告編タイトルリストから検出するステップと、
前記再生中のコンテンツの他の映画関連情報の各項目を抽出するステップと、
抽出した他の映画タイトル情報の各項目の内容が前記映画予告編タイトルリストの前記各項目の内容と一致するか否かを判定するステップと、
を含むことを特徴とする請求項７に記載のデータ管理方法。
【請求項９】
前記ディスクの再生を検出するステップは、操作手段を介して前記ディスクの再生指示を受信したことを検出するステップであることを特徴とする請求項８に記載のデータ管理方法。
【請求項１０】
前記ディスクの再生を検出するステップは、操作手段を介して前記ディスクの再生指示を受信して所定の時間が経過したことを検出するステップであることを特徴とする請求項８に記載のデータ管理方法。
【発明の詳細な説明】
【技術分野】
【０００１】
本発明は、BD-ROM(Blu-ray Disc Read Only Memory)等の記録媒体に記録されている映像コンテンツを再生するディスク再生装置及びデータ管理方法に関し、特に、ローカルストレージの空き容量の確保を可能とするディスク再生装置及びデータ管理方法に関する。
【背景技術】
【０００２】
近年、高精細画像データを記録再生するメディアとしてBlu-ray Disc（登録商標）が使用されてきており、特許文献１には、Blu-ray Disc（登録商標）を再生する再生装置が記載されている。
【０００３】
Blu-ray Disc Read Only Memory (BD-ROM)に記録されるアプリケーションとしては、ＨＤＭＶタイトルとＢＤ−Ｊタイトルの２つのタイプが存在している。タイトルとは、ディスクコンテンツの再生単位であり、タイトルに関連したビデオやオーディオなどのストリームファイルが再生されることによってディスクが再生される。ＨＤＭＶタイトルは、従来のＤＶＤを拡張させたものであり、ＢＤ−ＪタイトルはＪａｖａ（登録商標）のプログラムで構成されている。ＢＤ−Ｊタイトルでは、コンテンツプロバイダーが自由にコンテンツを作成することができる。
【０００４】
ＢＤ−Ｊタイトルを再生する再生装置では、ディスクを再生するだけではなく、インターネットに接続して外部からデータを取得することも可能となっている。特許文献１には、ＢＤ−ＪモードにおいてＪａｖａ（登録商標）アプリケーションから与えられたＵＲＬを基に、ネットワークを通じてコンテンツをダウンロードし、ＢＤ−ＲＯＭに記録されたコンテンツと同様に再生させることが記載されている。
【０００５】
また、取得したデータの管理について、特許文献２には、コンテンツプロバイダーからダウンロードしてローカルストレージ内に保存したデータファイルに対して特定のファイルを削除する旨の命令を受信したとき、ファイルに含まれたタイトルに関連したファイルのみの削除や、削除を希望するファイルのみを削除することが記載されている。
【先行技術文献】
【特許文献】
【０００６】
【特許文献１】国際公開第２００５／０４５８４０号
【特許文献２】特表２００８−５２２３４２号公報
【発明の概要】
【発明が解決しようとする課題】
【０００７】
上述したように、Blu-ray Disc（登録商標）を再生するディスク再生装置をＢＤ−Ｊモードで使用すると外部からデータを取得することができ、取得したデータはローカルストレージに保存される。
【０００８】
外部からのデータとして、例えば、映画の予告編がある。映画の予告編のデータ量は大きいもので、数百ＭＢになるものも存在する。従って、映画の予告編のように大容量のデータを複数保存すると、ローカルストレージの容量オーバーとなってしまい、所望のデータを保存できなくなることがある。
【０００９】
これに対処するために、通常は、ユーザがローカルストレージに保存したデータのうち、不要なデータを選択して消去している。
【００１０】
しかし、不要なデータを選択して消去する操作はユーザにとって面倒であるだけでなく、常にローカルストレージの空き容量に注意を払う必要があり利便性が低下する。
【００１１】
本発明は、かかる従来技術の課題に鑑みなされたものであり、ローカルストレージの空き容量の不足を防止することが可能なディスク再生装置及びデータ管理方法を提供することを目的とする。
【課題を解決するための手段】
【００１２】
上述した従来技術の課題を解決するため、本発明の基本形態によれば、映画及び当該映画の映画関連情報を記憶しているディスクから信号を読み取り、読み取った信号をデコードして再生するディスク再生装置であって、記憶手段と、インターネットに接続して外部から情報を受信する通信手段と、前記通信手段を介して映画の予告編及び該予告編の映画関連情報を取得し、前記予告編の映画関連情報を用いて作成した映画予告編タイトルリスト及び前記予告編を作成し前記記憶手段に格納する制御手段と、を有し、前記制御手段は、前記ディスクが再生されたとき、再生中のコンテンツの映画関連情報を取得し、当該映画関連情報と前記記憶手段に格納された前記映画予告編タイトルリストの映画関連情報とを比較し、前記コンテンツが前記予告編に対応する映画であると判定したとき、前記予告編を前記記憶手段から消去し、前記映画予告編タイトルリストを更新することを特徴とするディスク再生装置が提供される。
【００１３】
この形態に係るディスク再生装置において、前記映画関連情報には、映画内容情報項目として、映画タイトル、映画の監督及び出演者、が含まれ、映画提供情報項目として、上映予定日、リリース日、レンタル開始日、映画配給会社の識別情報が含まれているようにしてもよく、前記制御手段は、前記再生中のコンテンツの映画タイトルに一致するデータを前記映画予告編タイトルリストから検出し、当該再生中のコンテンツの他の映画関連情報の各項目の内容が当該映画予告編タイトルリストの前記各項目の内容と一致するとき、前記コンテンツが前記予告編に対応する映画であると判定するようにしてもよく、さらに、ユーザの指示を入力する操作手段を備え、前記制御手段は、前記操作手段を介して前記ディスクの再生指示を受信したとき、又は、前記再生指示を受信して所定の時間が経過したとき、前記ディスクが再生されたと判断するようにしてもよい。
【００１４】
また、本発明の他の形態によれば、インターネットを介して映画の予告編及び該予告編の映画関連情報を取得するステップと、前記予告編を記憶手段に格納するステップと、前記予告編の映画関連情報を用いて映画予告編タイトルリストを作成するステップと、前記映画予告編タイトルリストを記憶手段に格納するステップと、ディスクの再生を検出するステップと、再生中のディスクの映画関連情報を取得するステップと、当該映画関連情報と前記映画予告編タイトルリストとを比較するステップと、前記コンテンツが前記予告編に対応する映画であると判定したとき、前記予告編を前記記憶手段から消去するステップと、前記映画予告編タイトルリストを更新するステップと、を有することを特徴とするデータ管理方法が提供される。
【００１５】
この形態に係るデータ管理方法において、前記映画関連情報には、映画内容情報項目として、映画タイトル、映画の監督及び出演者、が含まれ、映画提供情報項目として、上映予定日、リリース日、レンタル開始日、映画配給会社の識別情報が含まれているようにしてもよく、前記映画関連情報と前記映画予告編タイトルリストとを比較するステップは、前記再生中のコンテンツの映画タイトルに一致するデータを前記映画予告編タイトルリストから検出するステップと、前記再生中のコンテンツの他の映画関連情報の各項目を抽出するステップと、抽出した他の映画タイトル情報の各項目の内容が前記映画予告編タイトルリストの前記各項目の内容と一致するか否かを判定するステップと、を含むようにしてもよく、前記ディスクの再生を検出するステップは、操作手段を介して前記ディスクの再生指示を受信したことを検出するステップであるようにしてもよく、前記ディスクの再生を検出するステップは、操作手段を介して前記ディスクの再生指示を受信して所定の時間が経過したことを検出するステップであるようにしてもよい。
【発明の効果】
【００１６】
本発明のディスク再生装置及びデータ管理方法によれば、映画の予告編及び映画関連情報を用いて作成した映画予告編タイトルリストが記憶手段（ローカルストレージ）に保存されている状態で、再生されたディスクの映画関連情報と映画予告編タイトルリストとを比較して、ディスクのコンテンツが予告編に対応する映画であると判定したとき、その映画の予告編をローカルストレージから消去し、映画予告編タイトルリストを更新するようにしている。
【００１７】
これにより、ローカルストレージから不要な大きなサイズのデータを自動的に消去することができ、ローカルストレージの空き容量を確保することが可能となる。
【図面の簡単な説明】
【００１８】
【図１】本発明の一実施形態に係るディスク再生装置の構成を示すブロック図である。
【図２】Blu-ray Discに記録される各種コンテンツのディレクトリ構成を示した図である。
【図３】ディスクに記録されるＢＤフォーマットに従って記録されたコンテンツの構成例を示す図である。
【図４】映画予告編タイトルリストの一例を示す図である。
【図５】ローカルストレージ内に保存された映画予告編消去処理の一例を示すフローチャートである。
【発明を実施するための形態】
【００１９】
以下、本発明の実施形態について、添付の図面を参照して説明する。
【００２０】
図１は、本発明の一実施形態に係るディスク再生装置１００のブロック構成図を示している。
【００２１】
本実施形態に係るディスク再生装置１００は、基本的には、ディスク１の情報を読み取って出力する記録情報読取装置２と、操作部３と、読み取った情報及び操作部３からの指示を基に出力情報を生成する出力情報生成部４と、映像出力部５及び音声出力部６で構成されている。
【００２２】
出力情報生成部４は、復号・信号処理部１１、Ｊａｖａ仮想マシン１２ａを含むＭＰＵ１２、ＡＶデコーダ１３、ＲＡＭ１４、ＭＰＵ１２に接続されるＲＡＭ１５、ＭＰＵ１２に接続されるＲＯＭ１６、映像処理部１７及び音声処理部１８で構成されている。
【００２３】
記録情報読取装置２では、モータによって一定の線速度で回転されるディスク１にレーザービームを照射してディスク１から反射される反射光量に該当する記録された信号をピックアップし、ＲＦアンプにより増幅して出力情報生成部４の復号・信号処理部１１に出力する。なお、ディスク１はＢｌｕ−ｒａｙ  Ｄｉｓｃ（登録商標）を対象としている。
【００２４】
復号・信号処理部１１では、記録情報読取装置２から再生信号を受信し、再生信号のノイズや歪み等の除去処理を施して、信号をデジタル化し、記録データを再生する。また、ディスク１（ＢＤ−ＲＯＭ）に保存されているトランスポートストリームの多重分離を行い、ビデオフレームとオーディオフレームを抽出してＲＡＭ１４に一時格納する。
【００２５】
ＡＶデコーダ１３は、復号・信号処理部１１で再生されたデータから映像信号及び音声信号をデコードし、映像信号を映像処理部１７に供給し、音声信号を音声処理部１８に供給する。映像処理部１７又は音声処理部１８ではそれぞれ供給されるデータ信号に対してがＤ／Ａ変換や増幅処理を施し、映像出力部５又は音声出力部６に供給する。
【００２６】
具体的には、ＡＶデコーダ１３のうちのビデオデコーダは、復号・信号処理部１１で再生されＲＡＭ１４に格納されたビデオフレームを伸長し、伸長したピクチャをＲＡＭ１４に一時格納する。映像処理部１７は一画面分の領域を持ったメモリを備え、ＲＡＭ１４に一時格納されたピクチャをそのメモリに格納する。また、ＡＶデコーダ１３のうちのオーディオデコーダは、ＲＡＭ１４に格納されたオーディオフレームを伸長し、伸長したオーディオデータをＲＡＭ１４に一時格納する。音声処理部１８はＲＡＭ１４に一時格納されたオーディオデータを入力し、音声出力部６に供給する。
【００２７】
操作部３は、ディスク再生装置１００のフロントパネルに設けられ、ユーザが行う入力操作を受け付ける。また、リモコンも操作部３として機能する。例えば、ディスクの再生を開始させるプレイキーや再生中のディスクを停止させるストップキーの押下等のユーザ操作（ＵＯ(User Operation)と呼ぶ）を検出し、その信号を受け付け、ＭＰＵ１２に出力する。
【００２８】
ＭＰＵ（制御部）１２は、ＲＯＭ１６に記録されたプログラムに従って所定の動作を行う。例えば、通信部１９を介してネットワークに接続し、映画の配給会社のサーバーから映画の予告編を受信して記憶部２０に格納したり、その映画に関連する情報（メタデータ）を基に映画予告編タイトルリストを作成して記憶部２０に格納したりする。また、ディスクの再生を検出して、ディスクのコンテンツが予告編に対応する映画か否かを判定したりする。
【００２９】
Ｊａｖａ仮想マシン１２ａは、Ｊａｖａアプリの実行部であり、Ｊａｖａコンテンツの再生を行う。
【００３０】
映像出力部５はディスプレイ装置であり、液晶パネル等で構成され、映像処理部１７で処理された映像信号を入力して表示する。音声出力部６はスピーカーであり、音声処理部１８で処理された音声信号に従って音声出力する。
【００３１】
通信部１９は、インターネットとの接続を可能とし、映画の配給会社などのサーバーから所望のデータを取得する。
【００３２】
記憶部（ローカルストレージ）２０は、例えば、ディスク再生装置１００に内蔵されるハードディスクまたはディスク再生装置１００に接続可能な外部記憶装置（ＳＤカードやＵＳＢメモリ）で構成され、ｗｅｂサイトからダウンロードされたコンテンツ等、ＢＤ−ＲＯＭ以外の記録媒体から供給されたコンテンツが格納される。
【００３３】
次に、ディスク再生装置１００で再生するＢｌｕ−ｒａｙ  Ｄｉｓｃに記録されるコンテンツについて図２及び図３を参照しながら説明する。
【００３４】
図２は、Ｂｌｕ−ｒａｙ  Ｄｉｓｃ（ＢＤ−ＲＯＭ）に記録される各種コンテンツのディレクトリ構成を示している。コンテンツはＢＤフォーマット（Ｂｌｕ−ｒａｙ  Ｄｉｓｃ用の規定フォーマット）に従って記録される。
【００３５】
ＢＤ−ＲＯＭは、内周から外周に向けて螺旋状に記憶領域を持ち、内周のリード・インと外周のリード・アウトの間に論理データを記録できる論理アドレス空間を有している。論理アドレス空間には、論理データをファイル・ディレクトリ構造を使って読み出すことを可能とするファイルシステムや映像データなどのアプリケーションデータが記録されている。
【００３６】
ＢＤ−ＲＯＭのファイル・ディレクトリ構造は、ＲＯＯＴディレクトリの下に、ＢＤＭＶディレクトリが置かれ、ＢＤＭＶディレクトリには、使用者とのインタラクティビティを保障するための一般ファイル情報として、インデックスファイル（ｉｎｄｅｘ）とオブジェクトファイル（ＭｏｖｉｅＯｂｊｅｃｔ及びＢＤ−ＪＯｂｊｅｃｔ）を含んでいる。
【００３７】
ＢＤＭＶディレクトリの下には、ディスク内に記録されたデータに対する情報と、これを再生する方法などに対する情報とを有するディレクトリを含んでいる。これらのディレクトリは、プレイリストディレクトリ（ＰＬＡＹＬＩＳＴ）、クリップ情報ディレクトリ（ＣＬＩＰＩＮＦ）、ストリームディレクトリ（ＳＴＲＥＡＭ）、ＢＤ−Ｊオブジェクトディレクトリ（ＢＤＪＯ）である。
【００３８】
ＢＤ−Ｊオブジェクトディレクトリ（ＢＤＪＯ）には、ＢＤ−Ｊタイトルを再生するためのＢＤ−Ｊオブジェクトファイルが含まれている。
【００３９】
ストリームディレクトリ（ＳＴＲＥＡＭ）には、ディスク内に特定フォーマットで記録されたストリームファイルが含まれている。ストリームのうち、ビデオ／オーディオ／グラフィック情報がすべてマルチプレクスされたストリームをＡＶストリームといい、少なくとも一つのＡＶストリームファイルでタイトルを構成している。
【００４０】
クリップ情報ディレクトリ（ＣＬＩＰＩＮＦ）には、ストリームファイルと１対１対応するクリップ情報ファイルが含まれている。ストリームファイルとストリームファイルに１対１対応するクリップ情報ファイルをまとめて、クリップと呼ぶ。
【００４１】
プレイリストディレクトリ（ＰＬＡＹＬＩＳＴ）には、複数のプレイリストファイルが含まれている。各プレイリストファイルは、一つ以上のプレイアイテムと一つ以上のサブプレイアイテムを含んでいる。各プレイアイテムとサブプレイアイテムは、特定クリップの再生間隔を指定する。プレイアイテムとサブプレイアイテムは、再生を希望する特定クリップの情報、例えば、再生開始時間と再生終了時間に関する情報を有している。
【００４２】
ＢＤフォーマットではディスク上にタイトルと呼ばれる単位を記録する。タイトルとは、ディスクコンテンツの状態遷移において１つの状態にあたる再生単位であり、各タイトルは特定のオブジェクトとリンクされている。オブジェクト内のコマンド又はプログラムによってディスク内に記録されているタイトルに関連したストリームが再生される。タイトルにはＨＤＭＶタイトルとＢＤ−Ｊタイトルがあり、両者はＢＤフォーマットにて定義されるインデックステーブルに記載される。
【００４３】
ＨＤＭＶタイトルは、ＭＰＥＧ２圧縮方式による映像情報及びインタラクティブ情報が記録されたタイトルであり、ＢＤ−Ｊタイトルは、Ｊａｖａ（登録商標）プログラムにより実行される映像情報及びインタラクティブ情報が記録されたタイトルである。
【００４４】
図３は、ディスクに記録されるコンテンツの構成例及び動作例を説明する図である。コンテンツは、インデックス、ムービーオブジェクト、プレイリスト、クリップの階層構成を有している。
【００４５】
再生されるタイトルを示すインデックスが指定されると、各タイトルに関連付けられた再生プログラム（ムービーオブジェクト）が指定され、指定されたムービーオブジェクトに備えられたコマンドやプログラム情報に従ってコンテンツの再生順等を規定したプレイリストが選択される。
【００４６】
プレイリストには、再生対象データ情報としてのプレイアイテムが含まれており、プレイアイテムによって規定されるタイトルを再生する少なくとも一つのクリップが再生される。このクリップ情報によって、コンテンツ実データとしてのＡＶストリームあるいはコマンドが選択的に読み出されて、ＡＶストリームの再生、コマンドの実行処理が行われる。
【００４７】
ＨＤＭＶタイトルを指定した再生では、ＨＤＭＶタイトルに関連付けられたムービーオブジェクトが読み出され、そのムービーオブジェクトによって特定のプレイリストに従ったコンテンツ再生が実行される。
【００４８】
ＢＤ−Ｊタイトルを指定した再生でも、ＢＤ−Ｊタイトルに関連付けられたＢＤ−Ｊオブジェクトが読み出され、そのＢＤ−Ｊオブジェクトによって指定されるＪａｖａアプリケーションが読み出され、Ｊａｖａアプリケーションによって指定されるプレイリストに従ってコンテンツ再生が実行される。
【００４９】
ＢＤ−Ｊタイトルを再生するＢＤ−Ｊモードでは、ｗｅｂサイトからコンテンツをダウンロードして、取得したデータをＢＤ−ＲＯＭと同様に再生することができる。例えば、映画の配給会社のサイトから映画の予告編等のデータを取得してローカルストレージに保存し、予告編を視聴することができる。
【００５０】
ただし、ローカルストレージの容量には限界があり、大容量の映画の予告編を多数保存すると、必要な情報をローカルストレージに保存することができなくなってしまう。また、ローカルストレージの容量は、１Ｇバイト以上であることが推奨されている。
【００５１】
そのため、本実施形態では、ローカルストレージに保存された映画の予告編のうち、ユーザにとって不要なデータを選択して消去するようにしている。
【００５２】
本実施形態では、図１のように構成されたディスク再生装置１００において、制御部（ＭＰＵ）１２は、通信部１９を介してｗｅｂサイトから映画の予告編をダウンロードしたことを検出すると、映画の予告編に含まれる映画タイトルや出演者等の映画関連情報（メタデータ）を抽出して映画予告編タイトルリストを作成し、予告編のデータともに映画予告編タイトルリストをローカルストレージ（記憶部）２０に保存する。
【００５３】
図４は、映画予告編タイトルリストの一例を示した図である。図４に示すように、映画予告編タイトルリストには、リストの各項目を形成する映画内容情報として、映画タイトル、監督・出演者が含まれている。また、映画提供情報として、映画上映日、ディスクのリリース日、レンタル開始日、映画の予告編を提供している取得元のアドレス情報や映画の予告編が提供された日（アップデート日）が含まれている。映画予告編タイトルリストの各データは、予告編のデータと関連付けられている。
【００５４】
また、制御部（ＭＰＵ）１２は、ディスクがローディングされてコンテンツの再生が指定されると、再生コンテンツの映画関連情報（メタデータ）を取得してＲＡＭ１５に一時保存する。
【００５５】
この映画関連情報と、映画予告編タイトルリストに登録された映画関連情報とを比較して、再生コンテンツと同一の映画の予告編が存在するとき、その予告編データをローカルストレージ２０から消去する処理を行う。
【００５６】
以下に、ディスク再生装置１００の制御部１２が行う、ローカルストレージ２０に保存した映画の予告編の消去処理について図５のフローチャートを参照しながら説明する。
【００５７】
図５のステップＳ１１からステップＳ１４では、映画の予告編を取得してそのデータをローカルストレージ２０に保存する処理を行う。
【００５８】
まず、図５のステップＳ１１において、映画の予告編を取得し、ローカルストレージ２０に保存する。映画の予告編は、通信部１９を介してインターネットに接続し、映画の配給会社のサーバーから取得する。また、ディスクに映画の予告編が記録されているときは、ディスクから取得するようにしてもよい。
【００５９】
次のステップＳ１２において、ステップＳ１１で取得した映画の予告編に映画関連情報が含まれているか否かを判定する。映画関連情報が含まれているときは、ステップＳ１３に移行し、含まれていないときはステップＳ１５に移行する。なお、映画関連情報には、映画のタイトルやリリース日、その映画の監督や出演者の情報が含まれる。
【００６０】
次のステップＳ１３において、映画関連情報を基に、図４に示すような映画予告編タイトルリストを作成する。
【００６１】
次のステップＳ１４では、ステップＳ１３において作成した映画予告編タイトルリストをローカルストレージ２０に保存する。
【００６２】
次のステップＳ１５からステップＳ１８では、ディスクが再生された場合にディスクの内容に対応する映画の予告編をローカルストレージ２０から消去する処理を行う。
【００６３】
ステップＳ１５において、ディスクが再生されたか否かを判定する。操作部３を介してディスクの再生指示を受信したときに、ディスクが再生されたと判定する。また、操作部３を介してディスクの再生指示を受信した後、所定の時間が経過したときに、ディスクが再生されたと判定するようにしてもよい。これらの条件は予めユーザが設定できるようにしてもよい。
【００６４】
ディスクが再生されるまで待機し、ディスクが再生されたときはステップＳ１６に移行する。
【００６５】
次のステップＳ１６において、再生したディスクのコンテンツが映画であり、その映画の予告編がローカルストレージ２０に保存されているか否かを判定する。この判定では、再生したディスクから、映画タイトル、リリース日、出演者情報や、コンテンツプロバイダーの情報（メタデータ）を取得して、ＲＡＭ１４に一時格納する。これらの情報と映画予告編タイトルリストとを比較して、ディスクの内容に対応する映画の予告編を検出する。
【００６６】
ディスクコンテンツである映画の予告編が保存されているか否かの判定は、基本的にディスクから取得した映画タイトルと、ローカルストレージ２０に保存した映画予告編タイトルリストの項目（映画タイトル）とが一致しているか否かによって判断する。
【００６７】
しかし、同じ映画タイトルであっても内容が異なる場合もありうるので、他のメタデータも利用して、映画の予告編が保存されているか否かを判断する。判断に用いられる他のメタデータとしては、その映画の監督や出演者、ディスクのリリース日、その映画の配給会社（プロバイダ）のアドレス等の識別情報がある。これらのメタデータを利用することにより、ディスクコンテンツである映画の予告編を確実に検出できるようにしている。
【００６８】
例えば、ディスクから取得したメタデータが、映画タイトル、リリース日、監督・出演者であり、映画タイトルが“ＭＯＶＩＥ２”、リリース日が“２００９年１２月”、監督・出演者が“監督：Ｓ．Ｈ.，出演者：Ｋ．Ｎ.”であったとする。図４に示す映画予告編タイトルリストが登録されているとき、映画タイトルを比較の対象項目とすると、映画予告編タイトルリストから２つのデータ（図４の２行目と３行目）が該当し、映画タイトルだけではいずれのデータが対応するか判定できない。そこで、リリース日を比較の対象項目に加えると、図４のリストの３行目のデータが該当し、データを特定することができる。さらに、映画タイトルもリリース日も同一のデータが存在するときには、他のメタデータ（監督・出演者）を利用して、ディスクコンテンツと同一の映画の予告編がローカルストレージ２０に存在するか否かを判定する。
【００６９】
再生した映画の予告編がローカルストレージ２０に保存されていると判定したときはステップＳ１７に移行し、保存されていないと判定したときは本処理は終了する。
【００７０】
次のステップＳ１７において、当該映画の予告編をローカルストレージ２０から消去する。
【００７１】
次のステップＳ１８において、映画予告編タイトルリストを更新する。ステップＳ１７において消去した映画の予告編に対応するデータを映画予告編タイトルリストから削除して映画予告編タイトルリストの更新を行う。
【００７２】
なお、ステップＳ１１からステップＳ１４の映画予告編をローカルストレージ２０に保存する処理は、映画配給会社のサーバー等から予告編を取得する毎に行う。
【００７３】
また、ステップＳ１５においてディスクが再生されたか否かを判定しているが、ディスクがローディングされただけで再生されなかった場合であって、そのディスクのコンテンツである映画の予告編がローカルストレージ２０に存在するとき、予告編を消去するか否かを問い合わせるようにしてもよい。
【００７４】
以上、説明したように、本実施形態のディスク再生装置１００及びデータ管理方法によれば、映画の予告編及び映画関連情報を用いて作成した映画予告編タイトルリストが記憶手段（ローカルストレージ）に保存されている状態で、再生されたディスクの映画関連情報と映画予告編タイトルリストとを比較して、ディスクのコンテンツが予告編に対応する映画であると判定したとき、その映画の予告編をローカルストレージから消去し、映画予告編タイトルリストを更新するようにしている。
【００７５】
これにより、ローカルストレージから不要な大きなサイズのデータを自動的に消去することができ、ローカルストレージの空き容量を確保することが可能となる。
【００７６】
なお、本実施形態では、ディスクが再生されたときにディスクのコンテンツに対応する映画の予告編をローカルストレージ２０から消去したが、これに限らず、例えばディスク再生装置１００に接続可能な外部記憶装置（ＳＤカードやＵＳＢメモリ）に記録されたコンテンツとローカルストレージ２０に記憶された映画予告編タイトルリストとを比較してコンテンツに対応する予告編が存在するか否かを判定するようにしてもよい。対応する予告編がローカルストレージに存在する場合も、予告編は不要であるため、ローカルストレージから消去し、映画予告編タイトルリストを更新する。
【符号の説明】
【００７７】
１…ディスク、
２…記録情報読取装置、
３…操作部、
４…出力情報生成部、
５…映像出力部、
６…音声出力部、
１１…復号・信号処理部、
１２…ＭＰＵ、
１２ａ…Ｊａｖａ仮想マシン、
１３…ＡＶデコーダ、
１４、１５…ＲＡＭ、
１６…ＲＯＭ、
１７…映像処理部、
１８…音声処理部、
１９…通信部、
２０…記憶部、
１００…ディスク再生装置。
【図１】
2012033233.tif 000003
【図２】
2012033233.tif 000004
【図３】
2012033233.tif 000005
【図４】
2012033233.tif 000006
【図５】
2012033233.tif 000007